(57)【要約】【課題】携帯電話装置の表示パネルにおける画像表示を、より臨場感のあるものとする。【解決手段】開示される携帯電話装置は、画像を表示するための表示パネル１０を備えた携帯電話装置１００において、表示パネルの画像表示面上に、表示パネルの画像を透視可能にするための透明部を有する通常型の表示画面カバー１０１と、表示パネルの画像を透視可能にするための透明部を備えるとともに、透明部の内部に透明な液体を封入されている液体封入型の表示画面カバー１０２とを任意に交換して取り付けられるように構成されている。【選択図】　　　図１
2004134895.tif 000002
【特許請求の範囲】
【請求項１】
画像を表示するための表示パネルを備えた携帯電話装置であって、
前記表示パネルの画像表示面上に、前記表示パネルの画像を透視可能にするための透明部を有する第１の型の表示画面カバーと、前記表示パネルの画像を透視可能にするための透明部を備えるとともに、該透明部の内部に透明な液体を封入されている第２の型の表示画面カバーとを任意に交換して取り付けられるように構成されていることを特徴とする携帯電話装置。
【請求項２】
前記第２の型の表示画面カバーが、その透明部の内部に無色透明の液体を封入されていることを特徴とする請求項１記載の携帯電話装置。
【請求項３】
前記第２の型の表示画面カバーが複数種類からなり、それぞれの第２の型の表示画面カバーが、その透明部の内部にそれぞれ異なる色の透明な液体を封入されていることを特徴とする請求項１記載の携帯電話装置。
【請求項４】
前記第２の型の表示画面カバーが、前記封入されている液体内に光を反射する金属粉末を混入されていることを特徴とする請求項２または３記載の携帯電話装置。
【請求項５】
前記第２の型の表示画面カバーが、前記封入されている液体内に細砂を混入されていることを特徴とする請求項２または３記載の携帯電話装置。
【請求項６】
前記表示パネルが加熱手段を備えるとともに、前記第２の型の表示画面カバーの透明部に封入された液体に気化しやすい気体が溶解されていて、該第２の型の表示画面カバーを前記表示パネルの画像表示面上に取り付けたとき、前記加熱手段に電源が供給されて封入されている液体の加熱が行われることによって、前記表示画面カバーに封入されている気体が気化して液体内に泡を形成するように構成されていることを特徴とする請求項２または３記載の携帯電話装置。
【請求項７】
前記第２の型の表示画面カバーの透明部に封入されている液体が水であることを特徴とする請求項１ないし６のいずれか一記載の携帯電話装置。
【請求項８】
画像を表示するための表示パネルを備えた表示装置において、
前記表示パネルの画像表示面に対して、通常は前記表示パネルの画像を透視可能にするための透明部を有する第１の型の表示画面カバーを取り付けて表示を行い、前記表示パネルにおいて特定の画像を表示するときは、前記表示パネルの画像を透視可能にするための透明部を備えるとともに、該透明部の内部に透明な液体を封入されている第２の型の表示画面カバーを交換して取り付けて表示を行うことを特徴とする表示装置の画像表示方法。
【請求項９】
前記第２の型の表示画面カバーが、その透明部の内部に無色透明の液体を封入されていることを特徴とする請求項８記載の表示装置の画像表示方法。
【請求項１０】
前記第２の型の表示画面カバーが複数種類からなり、それぞれの第２の型の表示画面カバーが、その透明部の内部にそれぞれ異なる色の透明な液体を封入されていることを特徴とする請求項８記載の表示装置の画像表示方法。
【請求項１１】
前記第２の型の表示画面カバーが、前記封入されている液体内に光を反射する金属粉末を混入されていることを特徴とする請求項９または１０記載の表示装置の画像表示方法。
【請求項１２】
前記第２の型の表示画面カバーが、前記封入されている液体内に細砂を混入されていることを特徴とする請求項９または１０記載の表示装置の画像表示方法。
【請求項１３】
前記表示パネルが加熱手段を備えるとともに、前記第２の型の表示画面カバーの透明部に封入された液体に気化しやすい気体が溶解されていて、該第２の型の表示画面カバーを前記表示パネルの画像表示面上に取り付けたとき、前記加熱手段に電源が供給されて封入されている液体の加熱が行われることによって、前記表示画面カバーに封入されている気体が気化して液体内に泡を形成することを特徴とする請求項９または１０記載の表示装置の画像表示方法。
【請求項１４】
前記第２の型の表示画面カバーの透明部に封入されている液体が水であることを特徴とする請求項８ないし１３のいずれか一記載の表示装置の画像表示方法。
【発明の詳細な説明】
【０００１】
【発明の属する技術分野】
この発明は、携帯電話装置等において通話待ち受け時に、表示パネル上に常時表示されている画像（いわゆる壁紙）として、水中の情景を表す静止画像または動画像を使用する場合に、これらの画像を臨場感あるものとすることが可能な、携帯電話装置および表示装置の画像表示方法に関する。
【０００２】
【従来の技術】
携帯電話装置は、遠隔通信を実現するための装置として、従来から広く用いられているものであり、その表示パネルには、通話相手を指定するために入力する電話番号や、電波伝播状態等、通話に必要な情報が表示されるようになっている。
しかしながら、最近になって、電子メールやインターネットブラウザの機能が携帯電話装置に搭載されるようになり、これに伴って、文字や画像が表示パネルの画面上に表示されるようになった。
【０００３】
また、このような携帯電話装置の機能の変化に応じて、その表示パネルの構成も、表示すべき情報の量と質の変化に対応して変化するとともに、技術の進歩に伴って大型化，多色化、高精細化が進み、表示される画像においても、写真に迫る画質を実現できるようになりつつある。
このようなことから、通話待ち受け時に、携帯電話装置の表示パネルに、使用者の好みに応じた画像を表示させておく、いわゆる壁紙としての利用も普及し始めている。
【０００４】
【発明が解決しようとする課題】
このような携帯電話装置の表示画面における壁紙の意匠の一つとして、水中の画像や水底の画像を表示させたいという要求がある。
これに対して、従来技術では、携帯電話装置の表示パネル面において、単に画像として水中の画像や水底の画像を表示するだけであったため、臨場感に富んだ画像を表示することができないという問題があった。
【０００５】
この発明は上述の事情に鑑みてなされたものであって、携帯電話装置等の表示パネル上に表示される水中の画像や水底の画像を、単純にそのまま表示させるだけでなく、画像の迫力を強化できるような表示の補助手段として、水そのものを表示面において使用して画像表示を行うことによって、より臨場感のある画像を、携帯電話装置の表示パネル上に表示することが可能な携帯電話装置および表示装置の画像表示方法を提供することを目的としている。
【０００６】
【課題を解決するための手段】
上記課題を解決するため、請求項１記載の発明は携帯電話装置に係り、画像を表示するための表示パネルを備えた携帯電話装置であって、
上記表示パネルの画像表示面上に、上記表示パネルの画像を透視可能にするための透明部を有する第１の型の表示画面カバーと、上記表示パネルの画像を透視可能にするための透明部を備えるとともに、該透明部の内部に透明な液体を封入されている第２の型の表示画面カバーとを任意に交換して取り付けられるように構成されていることを特徴としている。
【０００７】
また、請求項２記載の発明は、請求項１記載の携帯電話装置に係り、上記第２の型の表示画面カバーが、その透明部の内部に無色透明の液体を封入されていることを特徴としている。
【０００８】
また、請求項３記載の発明は、請求項１記載の携帯電話装置に係り、上記第２の型の表示画面カバーが複数種類からなり、それぞれの第２の型の表示画面カバーが、その透明部の内部にそれぞれ異なる色の透明な液体を封入されていることを特徴としている。
【０００９】
また、請求項４記載の発明は、請求項２または３記載の携帯電話装置に係り、上記第２の型の表示画面カバーが、上記封入されている液体内に光を反射する金属粉末を混入されていることを特徴としている。
【００１０】
また、請求項５記載の発明は、請求項２または３記載の携帯電話装置に係り、上記第２の型の表示画面カバーが、上記封入されている液体内に細砂を混入されていることを特徴としている。
【００１１】
また、請求項６記載の発明は、請求項２または３記載の携帯電話装置に係り、上記表示パネルが加熱手段を備えるとともに、上記第２の型の表示画面カバーの透明部に封入された液体に気化しやすい気体が溶解されていて、該第２の型の表示画面カバーを上記表示パネルの画像表示面上に取り付けたとき、上記加熱手段に電源が供給されて封入されている液体の加熱が行われることによって、上記表示画面カバーに封入されている気体が気化して液体内に泡を形成するように構成されていることを特徴としている。
【００１２】
また、請求項７記載の発明は、請求項１ないし６のいずれか一記載の携帯電話装置に係り、上記第２の型の表示画面カバーの透明部に封入されている液体が水であることを特徴としている。
【００１３】
また、請求項８記載の発明は表示装置の画像表示方法に係り、画像を表示するための表示パネルを備えた表示装置において、
上記表示パネルの画像表示面に対して、通常は上記表示パネルの画像を透視可能にするための透明部を有する第１の型の表示画面カバーを取り付けて表示を行い、上記表示パネルにおいて特定の画像を表示するときは、上記表示パネルの画像を透視可能にするための透明部を備えるとともに、該透明部の内部に透明な液体を封入されている第２の型の表示画面カバーを交換して取り付けて表示を行うことを特徴としている。
【００１４】
また、請求項９記載の発明は、請求項８記載の表示装置の画像表示方法に係り、上記第２の型の表示画面カバーが、その透明部の内部に無色透明の液体を封入されていることを特徴としている。
【００１５】
また、請求項１０記載の発明は、請求項８記載の表示装置の画像表示方法に係り、上記第２の型の表示画面カバーが複数種類からなり、それぞれの第２の型の表示画面カバーが、その透明部の内部にそれぞれ異なる色の透明な液体を封入されていることを特徴としている。
【００１６】
また、請求項１１記載の発明は、請求項９又は１０記載の表示装置の画像表示方法に係り、上記第２の型の表示画面カバーが、上記封入されている液体内に光を反射する金属粉末を混入されていることを特徴としている。
【００１７】
また、請求項１２記載の発明は、請求項９又は１０記載の表示装置の画像表示方法に係り、上記第２の型の表示画面カバーが、上記封入されている液体内に細砂を混入されていることを特徴としている。
【００１８】
また、請求項１３記載の発明は、請求項９又は１０記載の表示装置の画像表示方法に係り、上記表示パネルが加熱手段を備えるとともに、上記第２の型の表示画面カバーの透明部に封入された液体に気化しやすい気体が溶解されていて、該第２の型の表示画面カバーを上記表示パネルの画像表示面上に取り付けたとき、上記加熱手段に電源が供給されて封入されている液体の加熱が行われることによって、上記表示画面カバーに封入されている気体が気化して液体内に泡を形成することを特徴としている。
【００１９】
また、請求項１４記載の発明は、請求項８ないし１３のいずれか一記載の表示装置の画像表示方法に係り、上記第２の型の表示画面カバーの透明部に封入されている液体が水であることを特徴としている。
【００２０】
【発明の実施の形態】
以下、図面を参照して、この発明の実施の形態について説明する。説明は、実施例を用いて具体的に行う。
◇第１実施例
図１は、この発明の第１実施例である携帯電話装置の電気的構成を示すブロック図、図２は、本実施例の携帯電話装置の外観構成と使用態様とを説明するための図である。
【００２１】
この例の携帯電話装置１００は、図１に示すように、無線部１と、マイク２と、レシーバ３と、スピーカ４と、記憶部５と、キー６と、制御部７と、電源８と、表示パネル１０と、光源１１とから概略構成されている。
【００２２】
無線部１は、当該携帯電話装置と基地局との間の無線信号の送受信を行う。マイク２は、使用者の送信音声を携帯電話装置に取り込む。レシーバ３は、携帯電話装置の着信音声を使用者に伝達する。スピーカ４は、記憶部５に格納されているデータに基づいて音楽を送出する。記憶部５は、携帯電話装置が動作するために必要なプログラムのデータや、プログラムが処理する各種データを格納しているとともに、携帯電話装置の各種設定内容を保持する。キー６は、発信する電話番号や文字情報等を入力するとともに、携帯電話装置に対する各種操作入力を行うために用いられる。
【００２３】
制御部７は、記憶部５に格納されているプログラムと、キー６における入力操作等に基づいて、携帯電話装置の全体の動作を制御する。電源８は、電池からなり携帯電話装置の各部に対して動作に必要な電力を供給する。表示パネル１０は例えばカラー表示可能な液晶パネル（ＬＣＤ）からなり、携帯電話装置の動作に必要な各種の情報やＥメールによって送受信する情報等の文字を表示するとともに、静止画や動画を表示する。光源１１は、表示パネル１０を裏面から一様に照明するためのバックライトとなる。
【００２４】
次に、図１を参照して、この例の携帯電話装置の動作について説明する。
携帯電話装置１００では動作時、記憶部５に格納されているプログラムや設定内容に基づき、キー６による操作に応じて、制御部７が、マイク２と、レシーバ３と、無線部１との動作を制御して、携帯電話装置と基地局を介する通信相手方との間の通話を可能にする。
【００２５】
無線部１が通信相手方からデータを受信したとき、制御部７は、受信データを一旦、記憶部５に格納し、適当なデータ形式に変換したのち、音楽データの場合はスピーカ４に出力し、文字や画像データの場合は、表示パネル１０に出力すると同時に、光源１１に電力を供給して表示パネル１０を裏面から照明して明るくする。
この際、記憶部５に格納されているプログラムに基づいて、キー６による操作が一定時間以上行われなかったことを判断したときは、光源１１に対する電源供給を停止して、電源８を長持ちさせるようにする。
また、記憶部５に格納されているプログラムに基づいて、キー６からの操作入力の内容を記憶部５に格納するとともに、制御部７による処理結果を表示パネル１０に出力して表示させる。
【００２６】
次に、図２を参照して、この例の携帯電話装置の外観構成を説明する。
この例の携帯電話装置１００は、図２に示すように、筐体表面にマイク２，レシーバ３，キー６等が配置されているとともに、カラー画像の表示が可能な表示面を有する表示パネル１０を有している。
表示パネル１０は、携帯電話装置１００の表面の凹部９に設けられている。
携帯電話装置１００は、表示パネル１０の表示面を保護するための、互換性のある表示画面カバー１０１，１０２を、凹部９に対して着脱可能なように構成されている。
【００２７】
２種類の表示画面カバー１０１，１０２は、互いに交換して使用できるように、任意の共通の着脱構造を有している。この場合の着脱方法としては、凹部９における表示パネル１０の周辺部分で、例えば、ねじ留めによって固定する方法でもよく、または、任意の繋止構造を持つ爪等によるはめ込み固定方法でもよい。なお、以下においては、このような手段による表示画面カバーの固定を、単に表示パネル１０に取り付けると表現する場合もある。
【００２８】
表示画面カバー１０１は、通常型のものであって、全体がプラスチック等の透明な材質からなっているので、表示パネル１０上に取り付けられたとき、表示パネル１０に表示されている画像が、そのまま透過して表示されるようになっている。
なお、表示画面カバー１０１は、全体が透明でなくても、表示パネル１０の表示画面に対応する部分だけが透明であってもよい。
【００２９】
一方、表示画面カバー１０２は、液体封入型であって、表示画面カバー１０１と同様に透明な材質からなっているが、表示パネル１０に対応する部分が中空構造になっていて、その内部に無色透明な液体を封入されているので、表示パネル１０の表示画像が、内部の液体を介して透過して表示されるようになっている点が異なっている。
なお、表示画面カバー１０２の場合も、全体が透明でなくても、表示パネル１０の表示画面に対応する部分だけが透明であってもよい。
表示画面カバー１０２に封入される液体は、水でもよく、または水以外の液体、例えばシリコン油等でもよい。
【００３０】
次に、この例の携帯電話装置の使用態様を説明する。
携帯電話装置１００の通常の使用時には、表示パネル１０に対して通常型の表示画面カバー１０１を取り付けて使用する。通常型の表示画面カバー１０１は、主として、表示パネル１０の表示面の保護を行う機能を有している。
一方、無線部１が通信相手方もしくは基地局から、水中の画像を表す画像データを受信し、制御部７からこの画像データが表示パネル１０に出力されたとき、使用者が、より臨場感のある表示を得たいと判断した場合には、通常型の表示画面カバー１０１を取り外して、代わりに液体封入型の表示画面カバー１０２を表示パネル１０上に取り付ける。
【００３１】
これによって、表示パネル１０に表示されている水中の画像が、液体封入型の表示画面カバー１０２を通じて見られることになるので、使用者は、表示されている画像を表示画面カバー１０２に封入されている液体を通じて見ることになり、従って、使用者に対してあたかも水中の画像を覗いているような印象を与えることができるようになる。
【００３２】
このように、この例の携帯電話装置によれば、その表示パネルに、無色透明な液体を封入した表示画面カバーを取り付けて使用できるようにしたので、使用者に対して、表示パネルに表示されている画像が水中にあるような印象を与えることができ、従って、表示されている画像の内容に応じて、より臨場感のある画像表現を行うことができるようになる。
なお、この際使用する液体封入型の表示画面カバーは、液体を予め封入したものであって、使用者が使用の都度、液体を注入する必要がないので、液体を注入する手間が不要であるとともに、誤って携帯電話装置に液体を付着させたりする恐れがなく、従って液体に基づく携帯電話装置の故障が発生する恐れはない。
【００３３】
◇第２実施例
この例の携帯電話装置は、携帯電話装置自体の構成は、図１および図２に示された第１実施例の場合と同様であるが、表示パネル１０に取り付けて使用する表示画面カバーの構成が第１実施例の場合と異なっている。
【００３４】
この例の携帯電話装置において、表示パネル１０に取り付けて使用する通常型の表示画面カバーは、図１に示された第１実施例の場合の表示画面カバー１０１と同様である。
一方、液体封入型の表示画面カバーの構造は、第１実施例の場合の液体封入型表示画面カバー１０２と同様であるが、その数は第１実施例の場合と異なり１個に限定されず、その内部に封入する液体の色の相違に従って、複数種類のものが存在し得る。
【００３５】
例えば、赤色に着色した液体を封入した第１の液体封入型表示画面カバーや、緑色に着色した液体を封入した第２の液体封入型表示画面カバーや、青色に着色した液体を封入した第３の液体封入型表示画面カバーというように、その内部に封入した液体の色をそれぞれ異ならせた複数種類の液体封入型の表示画面カバーを備えている。
【００３６】
この例の携帯電話装置における、通常の使用時には、表示パネル１０に通常型の表示画面カバー１０１を取り付けて使用する。
無線部１が通信相手方もしくは基地局から、水中の画像を表す画像データを受信し、制御部７からこの画像データが表示パネル１０に出力されたとき、使用者が、より臨場感のある表示を得たいと判断した場合には、通常型の表示画面カバーを取り外して、代わりに任意の色の液体封入型の表示画面カバーを表示パネル１０に取り付ける。
これによって、表示パネルに表示されている画像が着色した液体を透過して見られるようになるので、表示されている画像が、着色された水中にあるように見えることになる。
【００３７】
このようにこの例の携帯電話装置によれば、表示パネル１０に、着色した液体を封入した表示画面カバーを取り付けて使用できるようにしたので、表示パネルに表示されている画像の内容に対して、表示画面カバーの着色した液体を透して見る効果が付加されて、単に無色透明な液体を通じて見られる水中の画像とも異なる、幻想的な効果が得られるようになる。
さらにこのような液体封入型表示画面カバーを、任意の複数の色ごとに用意しておくことによって、そのときどきの表示画面に応じて、最も適切な色を表示画像に付加することができるので、表示パネル１０上の表示画像に、より高い表現力が与えられるようになる。
【００３８】
◇第３実施例
この例の携帯電話装置は、携帯電話装置自体の構成は、図１および図２に示された第１実施例の場合と同様であるが、表示パネル１０に取り付けて使用する表示画面カバーの構成が第１実施例の場合と異なっている。
【００３９】
この例の携帯電話装置において、表示パネル１０に取り付けて使用する通常型の表示画面カバーは、図１に示された第１実施例の場合の表示画面カバー１０１と同様である。
一方、液体封入型の表示画面カバーの構造は、第１実施例または第２実施例の場合と類似しているが、その内部に、液体とともに少量の金属粉末が封入されている点が異なっている。
【００４０】
この際、液体封入型表示画面カバーの内部に封入されている液体は、第１実施例の場合のように、無色透明であってもよく、または任意の色に着色されていてもよい。あるいは第２実施例の場合のように、異なる任意の色に着色された液体を封入された複数種類の液体封入型表示画面カバーからなっていてもよい。
また、液体に混入される金属粉末は、金属の種類は問わないが、表面に光輝を有し、長時間、液体中に浸漬されていても、変色や腐食等の変性を生じないものであることが望ましい。
【００４１】
この例の携帯電話装置における、通常の使用時には、表示パネル１０に通常型の表示画面カバー１０１を取り付けて使用する。
無線部１が通信相手方もしくは基地局から、水中の画像を表す画像データを受信し、制御部７からこの画像データが表示パネル１０に出力されたとき、使用者が、より臨場感のある表示を得たいと判断した場合には、通常型の表示画面カバーを取り外して、代わりに任意の色の液体封入型の表示画面カバーを表示パネル１０に取り付ける。
【００４２】
これによって、表示パネルに表示されている画像が、無色の、または着色した液体を通じて見られるとともに、混入されている金属粉末が光源１１から発する光を反射するので、キラキラした輝きを伴う画像が表示されるようになる。さらに、この際、液体の動揺に伴って、金属粉末が液体中を浮遊しながら動く場合には、より幻想的な効果が得られることになる。
またこのような効果は、液体の色と混入した金属粉末の色との組み合わせを変えることによって、種々の異なる、より新規な感覚を提供するものとなる。
【００４３】
このように、この例の携帯電話装置によれば、表示パネル１０に、無色の、または着色した液体とともに少量の金属粉末を封入した表示画面カバーを取り付けて使用できるようにしたので、表示パネルに表示されている画像の内容に対して、金属粉末による輝きと、金属粉末の浮遊とによる特有の視覚的効果が得られる。またこのような効果は、金属粉末の色と封入した液体の色との組み合わせを変えることによって、より強調されるようになる。
【００４４】
◇第４実施例
この例の携帯電話装置は、携帯電話装置自体の構成は、図１および図２に示された第１実施例の場合と同様であるが、表示パネル１０に取り付けて使用する表示画面カバーの構成が第１実施例の場合と異なっている。
【００４５】
この例の携帯電話装置において、表示パネル１０に取り付けて使用する通常型の表示画面カバーは、図１に示された第１実施例の場合の表示画面カバー１０１と同様である。
一方、液体封入型の表示画面カバーの構造は、第１実施例または第２実施例の場合と類似しているが、その内部に、液体とともに、少量の微細な砂が封入されている点が異なっている。
この際、液体封入型表示画面カバーの内部に封入されている液体は、第１実施例の場合のように、無色透明であってもよく、または任意の色に着色されていてもよい。あるいは第２実施例の場合のように、異なる任意の色に着色された液体を封入された複数種類の液体封入型表示画面カバーからなっていてもよい。
【００４６】
この例の携帯電話装置における、通常の使用時には、表示パネル１０に通常型の表示画面カバー１０１を取り付けて使用する。
無線部１が通信相手方もしくは基地局から、水中の画像を表す画像データを受信し、制御部７からこの画像データが表示パネル１０に出力されたとき、使用者が、より臨場感のある表示を得たいと判断した場合には、通常型の表示画面カバーを取り外して、本実施例の液体封入型の表示画面カバーを表示パネル１０に取り付ける。
【００４７】
これによって、表示パネル１０に表示されている画像に対して、表示画面カバーの下辺に、混入されている砂が沈殿して表示されるので、あたかも水底を表すかのような感覚を与えるものとなる。
そこで、表示パネル１０に表示されている画像が、水中を想起させるものである場合、これに対して沈殿した砂が水底を模擬するので、よりリアルな水中の画像表示がなされるようになる。
【００４８】
このようにこの例の携帯電話装置によれば、表示パネル１０に、無色の、または着色した液体とともに砂を封入した表示画面カバーを取り付けて使用できるようにしたので、表示パネルに表示されている画像の内容に対して、表示画面カバーに封入されている液体の下部に砂が沈殿して水底を思わせる画像表示がなされるので、臨場感のある画面表示を行わせることが可能となる。
【００４９】
◇第５実施例
図３は、この例の携帯電話装置の電気的構成を示すブロック図である。
この例の携帯電話装置１００Ａは、図３に示すように、無線部１と、マイク２と、レシーバ３と、スピーカ４と、記憶部５と、キー６と、制御部７と、電源８と、表示パネル１０Ａと、光源１１と、加熱回路１２とから概略構成されている。
これらのうち、表示パネル１０Ａおよび加熱回路１２を除く各部は、図１に示された第１実施例の場合と同様である。
【００５０】
表示パネル１０Ａは、第１実施例の場合の表示パネル１０と同様の機能を有する以外に、液体封入型表示画面カバーを取り付けたとき、これを加熱するための加熱回路１２を備えている。
携帯電話装置１００Ａは、第１実施例の場合と同様の凹部（不図示）に、加熱回路１２を電源８に接続するためのスイッチ機構（不図示）が設けられている。
加熱回路１２は、表示パネル１０Ａに液体封入型表示画面カバーを取り付けたとき、スイッチ機構を介して電源８から電力を供給されることによって、液体封入型表示画面カバー内部に封入されている液体を加熱する。
【００５１】
この例の携帯電話装置において、表示パネル１０Ａに取り付けて使用する通常型の表示画面カバーは、図１に示された第１実施例の場合の表示画面カバー１０１と同様である。
一方、液体封入型表示画面カバーの構造は、上述の第１実施例ないし第４実施例の場合と同様であるが、液体封入型表示画面カバーに封入された液体内に、沸点が低く、気化しやすい気体を大量に溶け込ませた点が異なっている。なお、この気体は、液体封入型表示画面カバーを表示パネル１０Ａに取り付けない状態では、気化することはない。
【００５２】
この際、液体封入型表示画面カバーの内部に封入されている液体は、第１実施例の場合のように、無色透明であってもよく、または任意の色に着色されていてもよい。あるいは第２実施例の場合のように、異なる任意の色に着色された液体を封入された複数種類の液体封入型表示画面カバーからなっていてもよい。
【００５３】
次に、図３を参照して、この例の携帯電話装置の動作について説明する。
この例の携帯電話装置における、表示パネル１０Ａおよび加熱回路１２に関係のない各部の動作は、図１に示された第１実施例の場合と同様である。
この例の携帯電話装置においては、表示パネル１０Ａに液体封入型表示画面カバーを取り付けたとき、電源８からスイッチ機構を介して加熱回路１２に電力が供給されるので、液体封入型表示画面カバーに封入されている液体の温度が上昇するため、液体内に溶解している気体が気化して、液体内に泡となって析出するようになっている。
【００５４】
次に、この例の携帯電話装置の使用態様を説明する。
この例の携帯電話装置における、通常の使用時には、表示パネル１０Ａに通常型の表示画面カバー１０１を取り付けて使用する。
無線部１が通信相手方もしくは基地局から、水中の画像を表す画像データを受信し、制御部７からこの画像データが表示パネル１０Ａに出力されたとき、使用者が、より臨場感のある表示を得たいと判断した場合には、通常型の表示画面カバーを取り外して、代わりに、本実施例の液体封入型の表示画面カバーを表示パネル１０Ａに取り付ける。
【００５５】
これによって、表示パネル１０Ａに表示されている水中を表す画像は、液体封入型の表示画面カバーを通じて見られることになるので、使用者に、表示されている画像が水中にあって、あたかも水中の画像を覗いているような印象を与えるとともに、この際、表示画面カバーに封入されている液体中に溶解している気体が気化して気泡となって、周囲の液体との比重の違いに基づいて、徐々に上昇するようになるので、水中の画像のリアルさが増して、臨場感のある画像表示が実現される。
【００５６】
このように、この例の携帯電話装置によれば、表示パネル１０Ａに、気化しやすい気体を溶解させた、無色の、または着色された液体を封入した表示画面カバーを取り付けて使用できるようにしたので、使用中に加熱されて液体中に溶解した気体が気化して気泡が発生し、表示されている画像を背景として徐々に上昇する現象が見られるようになり、従って、表示パネル１０Ａに表示されている画像の内容に対して、より臨場感のある表現が行われるようになる。
【００５７】
以上、この発明の実施例を図面により詳述してきたが、具体的な構成はこの実施例に限られたものではなく、この発明の要旨を逸脱しない範囲の設計の変更等があってもこの発明に含まれる。例えば、携帯電話装置の外観構成は任意であって、図１に示されたような一体型の構成に限らず、表示パネルを備えた上部筐体と、電気回路を内蔵しテンキー等の操作部を備えた下部筐体とを、ヒンジを介して結合した折り畳み型の構成であってもよい。また、本発明は、携帯電話装置について実施例を記載されているが、この発明が、一般に、表示パネルを備えた表示装置の画面表示方法について適用可能なものであることはいうまでもない。
【００５８】
【発明の効果】
以上説明したように、この発明の携帯電話装置および表示装置の画像表示方法によれば、携帯電話装置等の動作に必要な各種の情報やＥメールによって送受信する情報等の文字を表示するとともに、静止画や動画を表示するための表示パネルを有する携帯電話装置や表示装置において、表示パネルに対して、透明な通常型の表示画面カバーと、内部に無色透明な液体や、各種の色を付した液体を封入した液体封入型の表示画面カバーとを交換して使用可能なように構成したので、表示パネルに表示されている画像に対してあたかも水中にあるような臨場感を与えることができる。
【００５９】
さらに、これらの場合に、液体中に金属粉末を混入することによって、水中にあるように表示されている画像に対して、金属粉末に基づく光輝を付加して、より装飾的効果を与えることができる。また、これらの液体中に細砂を混入することによって、表示されている画像に、水底を表す情景を付加して、より臨場感を与えることができる。また、表示パネルに加熱回路を設けて、液体封入型表示画面カバー内に封入されている液体から、溶解している気体を気化させて、液体中に泡を発生させることによって、水中の臨場感をより高めることができる。
このように、本発明の携帯電話装置によれば、携帯電話装置の表示パネルにおいて、従来の携帯電話装置の表示パネルでは得られなかった、遊び心のある装飾的な効果を得ることができる。
【図面の簡単な説明】
【図１】本発明の第１実施例である携帯電話装置の電気的構成を示すブロック図である。
【図２】同実施例の携帯電話装置の外観構成と使用態様とを説明するための図である。
【図３】本発明の第５実施例である携帯電話装置の電気的構成を示すブロック図である。
【符号の説明】
１　　　無線部
２　　　マイク
３　　　レシーバ
４　　　スピーカ
５　　　記憶部
６　　　キー
７　　　制御部
８　　　電源
１０，１０Ａ　　　表示パネル
１１　　　光源
１２　　　加熱回路（加熱手段）
１００，１００Ａ　　　携帯電話装置
１０１　　　通常型表示画面カバー（第１の型の表示画面カバー）
１０２　　　液体封入型表示画面カバー（第２の型の表示画面カバー）
【図１】
2004134895.tif 000003
【図２】
2004134895.tif 000004
【図３】
2004134895.tif 000005
【手続補正書】
【提出日】平成14年10月11日(2002.10.11)
【手続補正１】
【補正対象書類名】明細書
【補正対象項目名】０００２
【補正方法】変更
【補正の内容】
【０００２】
【従来の技術】
携帯電話装置は、遠隔通信を実現するための装置として、従来から広く用いられているものであり、その表示パネルには、通話相手を指定するために入力する電話番号や、電波伝播状態等、通話に必要な情報が表示されるようになっている。
しかしながら、最近になって、電子メールやインターネットブラウザの機能が携帯電話装置に搭載されるようになり、これに伴って、文字や画像が表示パネルの画面上に表示されるようになった。
また、このような携帯電話装置の機能の変化に応じて、その表示パネルの構成も、表示すべき情報の量と質の変化に対応して変化するとともに、技術の進歩に伴って大型化，多色化、高精細化が進み、表示される画像においても、写真に迫る画質を実現できるようになりつつある。
このようなことから、通話待ち受け時に、携帯電話装置の表示パネルに、使用者の好みに応じた画像を表示させておく、いわゆる壁紙としての利用も普及し始めている。


【手続補正２】
【補正対象書類名】明細書
【補正対象項目名】０００３
【補正方法】変更
【補正の内容】
【０００３】
【特許文献１】
実開昭６２−０３５３１８（請求項１，２、第１図）
【特許文献２】
特開２００２−０３３８０２（請求項１〜３、段落
【０００３〜０００５】）
【特許文献３】
特開平０９−１９１３３８（請求項１〜３、図１）